(57)【要約】【課題】マナーモード状態の設定／解除に関連して使い勝手を高めること。【解決手段】被験者の上半身の傾斜角度を表す差分ΔＡＧＬは、加速度センサ３２の検知結果に基づいて検出される。検出された差分ΔＡＧＬが予め設定されたエラー条件に該当すると、被験者に向けて警告を出力するべくブザー１８が駆動される。これを踏まえて、動作状態は警告出力モード状態とマナーモード状態とに切り替え可能であり、マナーモード状態が一定時間経過するか、或いは現在時刻が予め定めた時間帯から外れると、動作状態が警告出力モード状態に切り替えられる。【選択図】図３
2017084227.tif 000002
【特許請求の範囲】
【請求項１】
被験者の上半身の傾斜角度を検出する検出手段と、前記傾斜角度が予め設定されたエラー条件に該当したときに前記被験者に向けて警告を出力する出力手段とを有し、
動作状態は警告出力モード状態とマナーモード状態とに切り替え可能であり、前記マナーモード状態が一定時間経過したときおよび／または予め定めた時間帯から外れたときに前記警告出力モード状態に切り替える第１切り替え手段をさらに有する、携帯端末装置。
【請求項２】
前記第１切り替え手段は、前記マナーモード状態を開始した時刻を記録する手段と、前記マナーモード状態を開始した時刻からの経過時間を前記マナーモード状態から前記警告出力モード状態に切り替えるべき一定時間と照合する手段とを有し、前記経過時間が前記一定時間を超えたときに前記マナーモード状態から前記警告出力モード状態に切り替える、請求項１に記載の携帯端末装置。
【請求項３】
前記第１切り替え手段は、現在時刻を取得する手段と、前記現在時刻が夜間あるいは予め定められた前記被験者の休憩時間であるかを照合する手段とを有し、前記現在時刻が、夜間あるいは予め定められた前記被験者の休憩時間に該当する状態から該当しない状態になったときに前記マナーモード状態から前記警告出力モード状態に切り替える、請求項１または２に記載の携帯端末装置。
【請求項４】
前記予め定めた時間帯になったときに前記マナーモード状態に切り替える第２切り替え手段をさらに有する、請求項１ないし３のいずれかに記載の携帯端末装置。
【発明の詳細な説明】
【技術分野】
【０００１】
この発明は、携帯端末装置に関し、特に、被験者の上半身の傾斜角度が予め設定されたエラー条件に該当したときに被験者に向けて警告を出力する、携帯端末装置に関する。
【背景技術】
【０００２】
この種の装置の一例が、特許文献１に開示されている。この背景技術によれば、制御回路は、加速度センサの出力に基づいて被験者の上半身の傾斜角度を算出し、算出された傾斜角度をエラー角度条件と照合する。制御回路はまた、エラー角度条件が継続的に満足される期間を照合結果に基づいて測定し、測定された期間が基準値に達したときにブザーを駆動して警告を出力する。ここで、警告の出力は、事前の手動設定によってオン／オフできる。
【先行技術文献】
【特許文献】
【０００３】
【特許文献１】国際公開第２０１５／０８３５９７号公報（段落００６３）
【発明の概要】
【発明が解決しようとする課題】
【０００４】
しかし、警告の出力をオン／オフするには被験者による操作が必要となるため、オフ状態への移行を失念したために夜間や休憩時間に予期しない警告が出力されるおそれや、オン状態への復帰を失念したために警告が必要な場面で警告が出力されないおそれがある。つまり、特許文献１では、マナーモード状態の設定／解除に関連して、使い勝手に懸念が残る。
【０００５】
それゆえに、この発明の主たる目的は、マナーモード状態の設定／解除に関連して使い勝手を高めることができる、携帯端末装置を提供することである。
【課題を解決するための手段】
【０００６】
この発明に従う携帯端末装置(10：実施例で相当する参照符号。以下同じ)は、被験者の上半身の傾斜角度を検出する検出手段(32, S17)と、傾斜角度が予め設定されたエラー条件に該当したときに被験者に向けて警告を出力する出力手段(18, S17)とを有し、動作状態は警告出力モード状態とマナーモード状態とに切り替え可能であり、マナーモード状態が一定時間経過したときおよび／または予め定めた時間帯から外れたときに警告出力モード状態に切り替える第１切り替え手段(S21, S31, S37, S39, S43)をさらに有する。
【０００７】
動作状態は警告出力モード状態およびマナーモード状態に切り替え可能であるところ、マナーモード状態が一定時間経過するか、あるいは予め定めた時間帯から外れると、動作状態が警告出力モード状態に切り替えられる。この結果、マナーモード状態の設定／解除に関連して使い勝手を高めることができる。
【０００８】
好ましくは、第１切り替え手段は、マナーモード状態を開始した時刻を記録する手段(S31)と、マナーモード状態を開始した時刻からの経過時間をマナーモード状態から警告出力モード状態に切り替えるべき一定時間と照合する手段(S37)とを有し、経過時間が一定時間を超えたときにマナーモード状態から警告出力モード状態に切り替える。これによって、被験者がマナーモード状態の解除を失念する懸念を軽減することができる。
【０００９】
好ましくは、第１切り替え手段は、現在時刻を取得する手段(S21)と、現在時刻が夜間あるいは予め定められた被験者の休憩時間であるかを照合する手段(S43)とを有し、現在時刻が夜間あるいは予め定められた被験者の休憩時間に該当する状態から該当しない状態になったときにマナーモード状態から警告出力モード状態に切り替える。これによって、夜間または休憩時間における不要な警告の出力を回避できるとともに、必要な警告を昼間の仕事中に被験者に向けて出力することができる。
【００１０】
好ましくは、予め定めた時間帯になったときにマナーモード状態に切り替える第２切り替え手段(S23)をさらに有する。これによって、予期しない警告が予め定めた時間帯に出力され、周囲に迷惑をかける懸念を軽減することができる。
【発明の効果】
【００１１】
この発明によれば、マナーモード状態の設定／解除に関連して使い勝手を高めることができる。
【００１２】
この発明の上述の目的，その他の目的，特徴および利点は、図面を参照して行う以下の実施例の詳細な説明から一層明らかとなろう。
【図面の簡単な説明】
【００１３】
【図１】（Ａ）はこの実施例の携帯端末装置の前面を斜視した状態を示す斜視図であり、（Ｂ）はこの実施例の携帯端末装置の背面を斜視した状態を示す斜視図である。
【図２】この実施例の携帯端末装置が装着される上衣の一例を示す図解図である。
【図３】この実施例の携帯端末装置の構成の一例を示すブロック図である。
【図４】基準傾斜角度ＡＧＬｒｅｆと閾値角度ＡＧＬｔｈとの関係の一例を示す図解図である。
【図５】（Ａ）は被験者の姿勢の一例を示す図解図であり、（Ｂ）は被験者の姿勢の他の一例を示す図解図である。
【図６】（Ａ）は基準傾斜角度ＡＧＬｒｅｆ，閾値角度ＡＧＬｔｈ，被験者の上半身の傾斜角度を表す差分ΔＡＧＬ，加速度センサによって検知された現傾斜角度ＡＧＬｃｒの関係の一例を示す図解図であり、（Ｂ）は基準傾斜角度ＡＧＬｒｅｆ，閾値角度ＡＧＬｔｈ，被験者の上半身の傾斜角度を表す差分ΔＡＧＬ，加速度センサによって検知された現傾斜角度ＡＧＬｃｒの関係の他の一例を示す図解図である。
【図７】図３に示す制御回路の動作の一部を示すフローチャートである。
【図８】図３に示す制御回路の動作の他の一部を示すフローチャートである。
【発明を実施するための形態】
【００１４】
図１（Ａ）および図１（Ｂ）を参照して、この実施例の携帯端末装置１０は、これを装着する被験者の腰痛を予防するための腰痛予防装置であり、直方体状の筐体１２を含む。この実施例では、筐体１２の長さ方向にＸ軸が割り当てられ、筐体１２の幅方向にＹ軸が割り当てられ、そして筐体１２の厚み方向にＺ軸が割り当てられる。
【００１５】
これを踏まえて、以下では、Ｚ軸方向の正側を向く面を“前面”と定義し、Ｚ軸方向の負側を向く面を“背面”と定義する。また、Ｘ軸方向の正側を向く面を“天面”と定義し、Ｙ軸方向の正側を向く面を“右側面”と定義する。
【００１６】
筐体１２の前面には装着用クリップ１６が設けられ、筐体１２の背面には開始スイッチ１４が設けられる。また、筐体１２の天面にはマナースイッチ２０，マナーＬＥＤ２２および充電ＬＥＤ２４が設けられ、筐体１２の右側面にはブザー１８が設けられる。このような外観を有する携帯端末装置１０は、被験者が着用する上衣（図２参照）の胸ポケットに収納され、かつ装着用クリップ１６で止められる。
【００１７】
筐体１２の前面のうち少なくとも装着用クリップ１６の先端が接触する位置は、導電性を示す。また、装着用クリップ１６の先端も導電性を示す。したがって、携帯端末装置１０が上衣から外されている状態では、装着用クリップ１６は筐体１２と導通する。これに対して、携帯端末装置１０が上衣に装着されると、装着用クリップ１６は筐体１２に対して非導通状態となる。携帯端末装置１０が上衣に装着されているか否かは、装着用クリップ１６および筐体１２の間の導通／非導通に基づいて判別される。
【００１８】
上衣に装着された状態において、筐体１２の前面は被験者の前方を向き、筐体１２の背面は被験者の胸部を向く。また、筐体１２の天面は被験者の上方を向き、筐体１２の右側面は被験者の右側を向く。なお、被験者としては、病院で医療に従事する看護師が想定される。
【００１９】
筐体１２の背面に設けられた開始スイッチ１４は、基準傾斜角度ＡＧＬｒｅｆをメモリ２８（図３参照）に登録するためのスイッチであり、被験者が携帯端末装置１０を装着しかつ上半身を直立させた状態で操作される。
【００２０】
登録された基準傾斜角度ＡＧＬｒｅｆは、直立する被験者の姿勢と胸ポケットに収められた携帯端末装置１０の姿勢とのずれを示す。メモリ２８にはまた、腰痛予防の観点で許容される傾斜角度の上限を示す閾値角度ＡＧＬｔｈが予め登録される。こうして登録された基準傾斜角度ＡＧＬｒｅｆおよび閾値角度ＡＧｔｈには、直立姿勢に対して図４に示す関係が成り立つ。
【００２１】
図１（Ａ）および図１（Ｂ）に戻って、筐体１２の天面に設けられたマナースイッチ２０は“警告出力モード状態”と“マナーモード状態”との間での動作状態の切り替えを指示するためのスイッチである。マナーＬＥＤ２２は、マナーモード状態において点灯し、警告出力モード状態において消灯する。また、充電ＬＥＤ２４は、充電回路３６（図３参照）による充電期間に点灯し、充電期間以外の期間に消灯する。
【００２２】
図３を参照して、筐体１２の内部には、通信Ｉ／Ｆ２６，メモリ２８，ＲＴＣ(Real Time Clock)３０，加速度センサ（３軸加速度センサ）３２，バッテリ３４，充電回路３６，制御回路３８が収納される。図示しない外部装置との間でのデータ通信は通信Ｉ／Ｆ２６を介して実行され、データ通信の対象となるデータはメモリ２８に一時的に保存される。また、現在時刻はＲＴＣ３０によって計測され、真上方向（＝重力方向）に対する携帯端末装置１０の傾斜角度は加速度センサ３２によって検知される。
【００２３】
ブザー１８，マナーＬＥＤ２２，通信Ｉ／Ｆ２６，メモリ２８，ＲＴＣ３０，加速度センサ３２，制御回路３８は、充電回路３６によって充電されるバッテリ３４を電源として動作する。また、充電ＬＥＤ２４は、充電回路３６から供給される電力によって点灯される。
【００２４】
警告出力モード状態において、制御回路３８は、現傾斜角度ＡＧＬｃｒを加速度センサ３２から繰り返し取得する。制御回路３８はまた、取得した現傾斜角度ＡＧＬｃｒと上述した基準傾斜角度ＡＧＬｒｅｆとの差分を“ΔＡＧＬ”として算出し、算出された差分ΔＡＧＬを閾値角度ＡＧＬｔｈと比較する。
【００２５】
被験者の上半身が図５（Ａ）に示すように傾斜したとき、差分ΔＡＧＬは図６（Ａ）に示す角度に達する。また、被験者の上半身が図５（Ｂ）に示すように傾斜したとき、差分ΔＡＧＬは図６（Ｂ）に示す角度に達する。図６（Ａ）によれば、差分ΔＡＧＬは閾値角度ＡＧＬｔｈを下回り、図６（Ｂ）によれば、差分ΔＡＧＬは閾値角度ＡＧＬｔｈを上回る。
【００２６】
エラー条件は、差分ΔＡＧＬが閾値角度ＡＧＬｔｈを上回る状態が基準値（＝たとえば１０秒）に相当する時間継続するという条件である。制御回路３８は、差分ΔＡＧＬが継続的に閾値角度ＡＧＬｔｈを上回る時間をＲＴＣ３０を利用して測定し、測定された時間が基準値に達したときにブザー１８を駆動して警告を出力する。
【００２７】
上述のように、動作状態は、マナースイッチ２０の操作に従ってマナーモード状態と警告出力モード状態との間で切り替えられる。動作状態はまた、現在時刻が予め設定された休憩時間または夜間の時間帯に入ったときに、警告出力モード状態からマナーモード状態に切り替えられる。こうして切り替えられたマナーモード状態では、上述のような警告の出力が制限される。
【００２８】
ただし、マナーモード状態となった動作状態は、マナースイッチ２０によるマナーモード状態への切り替えの時刻から予め設定された時間が経過したとき、或いは現在時刻が予め設定された休憩時間または夜間の時間帯から外れたときに、警告出力モード状態に戻される。
【００２９】
制御回路３８は、詳しくは、図７に示すメインルーチンおよび図８に示すサブルーチンに従う処理を実行する。なお、これらのルーチンに対応する制御プログラムは、メモリ２８に保存される。
【００３０】
図７を参照して、ステップＳ１では初期化を実行し、ステップＳ３ではイベント待ち（コマンド待ち）を実行する。ステップＳ５では、通信Ｉ／Ｆ２６を介して外部装置からコマンドを受信したか否かを判別する。判別結果がＮＯであればそのままステップＳ９に進む一方、判別結果がＹＥＳであればステップＳ７で受信コマンドに対応する処理を実行してからステップＳ９に進む。
【００３１】
ステップＳ９では、携帯端末装置１０が被験者の上衣に装着されたか否かを装着用クリップ１６の導通状態を参照して判別する。判別結果がＮＯであればステップＳ３に戻り、判別結果がＹＥＳであればステップＳ１１に進む。ステップＳ１１では、オフセット補正を実行する。具体的には、開始スイッチ１４の操作を待ち、開始スイッチ１４が操作された時点の携帯端末装置１０の傾斜角度を“基準傾斜角度ＡＧＬｒｅｆ”としてメモリ２８に登録する。
【００３２】
ステップＳ１３では、図８に示すサブルーチンに従ってモード制御処理を実行する（詳細は後述）。ステップＳ１５では現時点の動作状態が警告出力モード状態であるか否かを判別し、判別結果がＮＯであればそのままステップＳ１９に進む一方、判別結果がＹＥＳであればステップＳ１７で角度測定＆警告処理を実行してからステップＳ１９に進む。
【００３３】
角度測定＆警告処理では、まず現傾斜角度ＡＧＬｃｒと基準傾斜角度ＡＧＬｒｅｆとの差分を“ΔＡＧＬ”として算出し、算出された差分ΔＡＧＬを閾値角度ＡＧＬｔｈと比較する。差分ＡＧＬが継続的に閾値角度ＡＧＬｔｈを時間が基準値（＝たとえば１０秒）に達すると、エラー条件が満足されたとみなし、ブザー１８を駆動して警告を出力する。
【００３４】
ステップＳ１９では、携帯端末装置１０が被験者の上衣に装着されたか否かを装着用クリップ１６の導通状態を参照して判別する。判別結果がＹＥＳであればステップＳ１３に戻る一方、判別結果がＮＯであればステップＳ３に戻る。
【００３５】
図８を参照して、ステップＳ２１では、ＲＴＣ３０を参照して現在時刻を取得する。ステップＳ２３では、現在時刻が予め設定された休憩時間または夜間の時間帯に属するか否かを判別する。判別結果がＮＯであればそのままステップＳ２７に進み、判別結果がＹＥＳであればステップＳ２５で動作状態をマナーモード状態に切り替えてからステップＳ２７に進む。
【００３６】
ステップＳ２７では現時点の動作状態がマナーモード状態であるか否かを判別し、ステップＳ２９ではマナーモード要求が発行されたか否か（＝マナースイッチ２０によってマナーモード状態への切り替えが指示されたか否か）を判別し、ステップＳ３５ではマナーモード状態の開始時刻がメモリ２８に記録されているか否かを判別する。
【００３７】
ステップＳ２７の判別結果およびステップＳ２９の判別結果のいずれもがＮＯであれば、そのまま上階層のルーチンに復帰する。ステップＳ２７の判別結果がＮＯでかつステップＳ２９の判別結果がＹＥＳであれば、ステップＳ３１に進み、ステップＳ２１で取得された現在時刻をマナーモード状態の開始時刻としてメモリ２８に記録する。記録が完了すると、ステップＳ３３で動作状態をマナーモード状態に切り替え、その後に上階層のルーチンに復帰する。
【００３８】
ステップＳ２７の判別結果およびステップＳ３５の判別結果のいずれもがＹＥＳであれば、マナーモード状態が開始されてから予め設定された時間が経過したか否かをステップＳ３７で判別する。ステップＳ２７の判別結果がＹＥＳでかつステップＳ３５の判別結果がＮＯであれば、現在時刻が予め設定された休憩時間または夜間の時間帯に属するか否かをステップＳ４３で判別する。
【００３９】
ステップＳ３７の判別結果がＮＯであるか或いはステップＳ４３の判別結果がＹＥＳであれば、そのまま上階層のルーチンに復帰する。これに対して、ステップＳ３７の判別結果がＹＥＳであるか或いはステップＳ４３の判別結果がＮＯであれば、ステップＳ３９で動作状態をマナーモード状態から警告出力モード状態に切り替える。
【００４０】
つまり、マナースイッチ２０によるマナーモード状態への切り替えの時刻から予め設定された時間が経過するか、或いは現在時刻が予め設定された休憩時間または夜間の時間帯から外れると、動作状態が警告出力モード状態に戻される。
【００４１】
ステップＳ３９の処理が完了すると、ステップＳ４１でメモリ２８に記録されたマナーモード状態の開始時刻をクリアし、その後に上階層のルーチンに復帰する。
【００４２】
以上の説明から分かるように、被験者の上半身の傾斜角度を表す差分ΔＡＧＬは加速度センサ３２の検知結果に基づいて検出される(S17)。検出された差分ΔＡＧＬが予め設定されたエラー条件に該当すると、被験者に向けて警告を出力するべくブザー１８が駆動される(S17)。これを踏まえて、動作状態は警告出力モード状態とマナーモード状態とに切り替え可能であり、マナーモード状態が一定時間経過するか、或いは現在時刻が予め定めた時間帯から外れると、動作状態が警告出力モード状態に切り替えられる(S37, S39, S43)。
【００４３】
マナーモード状態が一定時間経過したときに動作状態を警告出力モード状態に切り替えることで、被験者がマナーモード状態の解除を失念する懸念を軽減することができる。また、現在時刻が夜間あるいは予め定められた被験者の休憩時間から外れたときに動作状態を警告出力モード状態に切り替えることで、夜間または休憩時間における不要な警告の出力を回避できるとともに、必要な警告を昼間の仕事中に被験者に向けて出力することができる。
【符号の説明】
【００４４】
１０  …携帯端末装置
１２  …筐体
１６  …装着用クリップ
１８  …ブザー
２０  …マナースイッチ
２２  …マナーＬＥＤ
３０  …ＲＴＣ
３２  …加速度センサ
３８  …制御回路
【図１】
2017084227.tif 000003
【図２】
2017084227.tif 000004
【図３】
2017084227.tif 000005
【図４】
2017084227.tif 000006
【図５】
2017084227.tif 000007
【図６】
2017084227.tif 000008
【図７】
2017084227.tif 000009
【図８】
2017084227.tif 000010